(57)【特許請求の範囲】
【請求項１】
車両外部に設けられた給電装置から、ワイヤレスで電力が伝送される受電装置を備えたワイヤレス電力伝送用車両であって、
前記車両は、前記給電装置から前記受電装置への給電動作を制御する給電制御装置を備え、
前記給電制御装置は、前記車両内又は、前記車両から一定距離の範囲内における生体の存在の有無を検知する生体検知手段と、前記生体検知手段が生体の存在を検知しなかったときに、前記給電動作の開始を指示する給電開始指示手段と、を有し、
前記生体検知手段は、前記給電装置の給電コイルと前記受電装置の受電コイルとの相互認証の後、給電可能な位置関係が整った状態であるときに起動し、
前記生体検知手段は、
前記車両内の生体の存在の有無を検知する車両内生体検知手段と、
前記車両の底部と地上との間に存在する生体の有無を検知する車両底部生体検知手段と、
前記車両の周囲に存在する生体の有無を検知する車両周囲生体検知手段と、を有し、
前記給電動作中、前記車両周囲生体検知手段が動作している間、前記車両内生体検知手段が停止する、ワイヤレス電力伝送用車両。
【請求項２】
車両外部に設けられた給電装置から、ワイヤレスで電力が伝送される受電装置を備えたワイヤレス電力伝送用車両であって、
前記車両は、前記給電装置から前記受電装置への給電動作を制御する給電制御装置を備え、
前記給電制御装置は、前記車両内又は、前記車両から一定距離の範囲内における生体の存在の有無を検知する生体検知手段と、前記生体検知手段が生体の存在を検知しなかったときに、前記給電動作の開始を指示する給電開始指示手段と、を有し、
前記生体検知手段は、前記給電装置の給電コイルと前記受電装置の受電コイルとの相互認証の後、給電可能な位置関係が整った状態であるときに起動し、
前記生体検知手段は、
前記車両内の生体の存在の有無を検知する車両内生体検知手段と、
前記車両の底部と地上との間に存在する生体の有無を検知する車両底部生体検知手段と、
前記車両の周囲に存在する生体の有無を検知する車両周囲生体検知手段と、を有し、
前記給電動作中、前記車両周囲生体検知手段が動作している間、前記車両底部生体検知手段が停止する、ワイヤレス電力伝送用車両。
【請求項３】
車両外部に設けられた給電装置から、ワイヤレスで電力が伝送される受電装置を備えたワイヤレス電力伝送用車両であって、
前記車両は、前記給電装置から前記受電装置への給電動作を制御する給電制御装置を備え、
前記給電制御装置は、前記車両内又は、前記車両から一定距離の範囲内における生体の存在の有無を検知する生体検知手段と、前記生体検知手段が生体の存在を検知しなかったときに、前記給電動作の開始を指示する給電開始指示手段と、を有し、
前記生体検知手段は、前記給電装置の給電コイルと前記受電装置の受電コイルとの相互認証の後、給電可能な位置関係が整った状態であるときに起動し、
前記生体検知手段は、
前記車両内の生体の存在の有無を検知する車両内生体検知手段と、
前記車両の底部と地上との間に存在する生体の有無を検知する車両底部生体検知手段と、
前記車両の周囲に存在する生体の有無を検知する車両周囲生体検知手段と、を有し、
前記給電動作中、前記車両周囲生体検知手段が動作している間、前記車両内生体検知手段及び前記車両底部生体検知手段が停止する、ワイヤレス電力伝送用車両。
【請求項４】
前記生体検知手段は、自動的に起動する、請求項１〜３のいずれか一項に記載のワイヤレス電力伝送用車両。
【発明の詳細な説明】
【技術分野】
【０００１】
本発明は、ワイヤレス電力伝送用車両に関する。
【背景技術】
【０００２】
電源コードを用いずに電力を伝送する技術、いわゆる、ワイヤレス電力伝送技術が注目されつつある。ワイヤレス電力伝送技術は、給電機器から受電機器へ、ワイヤレスで電力を供給できることから、電車、電気自動車等の移動体、家電製品、電子機器、無線通信機器、玩具、といったさまざまな製品への応用が期待されている。
【０００３】
電気自動車やハイブリッド車等の電動車両へのワイヤレス電力伝送においては、地上側に配置される給電機器と、車両側に配置される受電機器との間で電磁場を介して電力が伝送される。このような場合、車両近傍における生体の存在を考慮する必要があると考えられており、例えば、特許文献１では、車両側受電部への給電運転中に、地上側給電部の周辺において生体の存在を検知したときは、車両側受電部へ給電する電力を、生体の存在が検知されていないときの給電運転と比べて制限する、給電制御装置の検討がなされている。
【０００４】
特許文献１の生体検知手段としては、車両に搭載されて、車両の周辺を撮影するカメラや車両の周辺に存在する障害物を検知するセンサ、スマートエントリーキーやグローバル・ポジショニング・システムを利用した手段が開示されている。
【先行技術文献】
【特許文献】
【０００５】
【特許文献１】特開２０１２−１６５４９７号公報
【発明の概要】
【発明が解決しようとする課題】
【０００６】
しかしながら、特許文献１に開示される技術では、生体検知手段の起動や停止について一切検討なされていないため、生体検知手段が起動していると、不要な電力が消費されるという問題があった。特に、生体検知手段の電力を車両に搭載されたバッテリから供給した場合、本来であれば車両を駆動させるはずの電力までもが余計に消費されてしまい、車両の航続距離が短くなる、車両のバッテリが上がってしまう、ということが懸念される。
【０００７】
そこで、本発明は、生体検知手段が搭載されている車両において、不要な電力消費を抑制できるワイヤレス電力伝送用車両を提供することを目的とする。
【課題を解決するための手段】
【０００８】
上記目的を達成するため、本発明は、車両外部に設けられた給電装置から、ワイヤレスで電力が伝送される受電装置を備えたワイヤレス電力伝送用車両であって、車両は、給電装置から受電装置への給電動作を制御する給電制御装置を備え、給電制御装置は、車両内又は、車両から一定距離の範囲内における生体の存在の有無を検知する生体検知手段と、生体検知手段が生体の存在を検知しなかったときに、給電動作の開始を指示する給電開始指示手段と、を有し、生体検知手段は、給電装置と受電装置とが給電可能な状態であるときに起動する、ワイヤレス電力伝送用車両を提供する。
【０００９】
本発明によれば、給電制御装置が生体検知手段と給電開始指示手段とを有し、生体検知手段が、給電装置と受電装置とが給電可能な状態であるときに起動することにより、無駄な電力消費を抑制できる。
【００１０】
ここで、生体検知手段は、自動的に起動することが好ましい。これにより、給電のし忘れが防止でき、必要な時に車両を動かすことができないという電気自動車に関わる使用上の懸念を払拭することができる。
【００１１】
また、生体検知手段は、車両内の生体の存在の有無を検知する車両内生体検知手段と、車両の底部と地上との間に存在する生体の有無を検知する車両底部生体検知手段と、車両の周囲に存在する生体の有無を検知する車両周囲生体検知手段と、を有することがより好ましい。
【００１２】
本発明によれば、車両内、車両の底部と地上との間、及び、車両の周囲における生体の有無を検知する生体検知手段を有することにより、車両内、並びに、車両の底部と地上との間、及び、車両の周囲を含む車両外の両方に生体がいないことを確認して給電を行うことができる。
【００１３】
ここで、給電動作中、車両周囲生体検知手段が動作している間、車両内生体検知手段が停止することがさらに好ましい。また、給電動作中、車両周囲生体検知手段が動作している間、車両底部生体検知手段が停止することがさらに好ましい。さらに、給電動作中、車両周囲生体検知手段が動作している間、車両内生体検知手段及び車両底部生体検知手段が停止することが特に好ましい。
【００１４】
本発明によれば、給電動作中、車両周囲生体検知手段が動作している間、車両内生体検知手段が停止する、又は、車両底部生体検知手段が停止することにより、車両内及び車両底部と地上との間に生体がいない状態を確保しながら、より一層、不要な電力消費を抑制できる。さらに、給電動作中、車両周囲生体検知手段が動作している間、車両内生体検知手段及び車両底部生体検知手段が停止することにより、車両内及び車両底部と地上との間に生体がいない状態を確保しながら、さらに一層、不要な電力消費を抑制できる。
【発明の効果】
【００１５】
本発明によれば、生体検知手段が搭載されている車両において、不要な電力消費を抑制できるワイヤレス電力伝送用車両を提供することができる。
【図面の簡単な説明】
【００１６】
【図１】第一実施形態に係るワイヤレス電力伝送用車両を適用したシステムの概略図である。
【図２】ワイヤレス電力伝送用車両への給電の際に、給電制御装置が実行する処理手順を示すメインフローチャートである。
【図３】給電中の生体検知の際に給電制御装置が実施する、第一の生体検知制御を示すフローチャートである。
【図４】給電中の生体検知の際に給電制御装置が実施する、第二の生体検知制御を示すフローチャートである。
【図５】給電中の生体検知の際に給電制御装置が実施する、第三の生体検知制御を示すフローチャートである。
【図６】第二実施形態に係るワイヤレス電力伝送用車両の平面図である。
【発明を実施するための形態】
【００１７】
以下、添付図面を参照しながら、本発明の好ましい実施形態を説明する。なお、各図面において同一又は相当の部分に対しては同一の符号を付すこととする。
【００１８】
［第一実施形態］
図１、２、３、４、及び５を参照して、本発明に係る第一実施形態を説明する。図１は、第一実施形態に係るワイヤレス電力伝送用車両を適用したワイヤレス電力伝送システムの概略図である。ワイヤレス電力伝送システム１は、受電装置３を備えたワイヤレス電力伝送用車両（以下、単に「車両」という場合がある。）２と、当該車両２の外部に設けられた給電装置１３と、から構成され、給電装置１３から受電装置３へ、例えば、電磁誘導、磁気共鳴によってワイヤレスで電力が伝送される。
【００１９】
給電装置１３において、給電コイル１２は、発生する磁束が受電コイルに向かうように地面に設置又は埋設されている。給電コイル１２は、整流回路、高周波インバータ等を含む給電側制御回路１１を介して交流電源（図示せず）に接続されている。
【００２０】
ワイヤレス電力伝送用車両２には、給電コイル１２から電力が伝送される受電コイル４、整流器等を含む受電側制御回路５及び、バッテリ６を有する受電装置３が搭載されている。受電コイル４は、給電コイル１２からの磁束が鎖交するように、例えば車両２の底部に設置されている。受電コイル４は、受電側制御回路５に接続され、受電側制御回路５は、二次電池であるバッテリ６に接続されている。ワイヤレス電力伝送用車両２は、受電コイル４が、給電コイル１２と対向する位置関係において、最も効率よく充電される。
【００２１】
ワイヤレス電力伝送用車両２は、給電装置１３から受電装置３への電力伝送を制御する、給電制御装置９を備える。給電制御装置９は、生体検知手段８ａ，８ｂ，８ｃと、給電開始指示手段７を構成要素とする受電側通信機１４と、を有する。受電側通信機１４は、給電側通信機１０との通信、受電装置３との通信、及び、生体検知手段８ａ，８ｂ，８ｃとの通信を行う。
【００２２】
生体検知手段は、車両２の内部における生体の存在の有無を検知する車両内生体検知手段８ａと、車両２から一定距離の範囲内における生体の存在の有無を検知する車両外生体検知手段８ｂ，８ｃと、を有する。車両外生体検知手段８ｂ，８ｃは、車両２の底部と地上との間に存在する生体の有無を検知する車両底部生体検知手段８ｂと、車両２の周囲であって、車両２の底部と地上との間以外に存在する生体の有無を検知する車両周囲生体検知手段８ｃと、を有する。車両底部生体検知手段８ｂは、例えば、車両２に乗車中の人が、車両２の底部に動物がいることや、金属等の障害物が存在することに気が付かなかった場合に、特にその効果が発揮される。
【００２３】
車両内生体検知手段８ａ及び車両外生体検知手段８ｂ，８ｃの少なくとも一方は、給電装置１３と受電装置３とが給電可能な状態であるときに起動する。なお、本発明において「給電装置と受電装置とが給電可能な状態」とは、給電コイル１２と受電コイル４との相互認証の後、給電可能な位置関係が整った状態、位置関係としては、例えば、正対した状態を意味する。
【００２４】
給電コイル１２と受電コイル４との相互認証及び位置合わせは、給電装置１３側と受電装置３側との無線通信により行うことができ、例えば、位置検知コイル等を用いた磁気的方法、ＲＦＩＤ（Ｒａｄｉｏ  Ｆｒｅｑｕｅｎｃｙ  ＩＤｅｎｔｉｆｉｃａｔｉｏｎ）又はＲＦ（Ｒａｄｉｏ  Ｆｒｅｑｕｅｎｃｙ）による通信、赤外線センサ又は超音波センサ等によるセンシングにより行われる。
【００２５】
本発明において、「生体検知手段が起動する」とは、生体検知手段の生体検知機能を動作可能にするために、「生体検知手段の電源がオフからオンに切り替わること」、及び、「スタンバイモード（必要最低限の電力を使った状態）の生体検知手段の電源がオンになること」の両方を含む。
【００２６】
不要な電力消費をより抑制する観点からは、「給電装置と受電装置とが給電可能な状態」となるまでは、生体検知手段は電源がオフである（電源が切れている）ことが好ましい。
【００２７】
具体的には、例えば、給電コイル１２と受電コイル４との相互認証及び位置合わせにより給電装置１３と受電装置３とが給電可能な状態となると、当該給電可能であるとの情報が、車両２に搭載された給電制御装置９に通信される。また、給電制御装置９は、この通信と同時に、若しくはそれ以前に、若しくはそれ以後に、又はこれらを組み合わせた時点において、給電要求の有無に関する情報を取得する。給電制御装置９は、少なくとも給電装置１３と受電装置３とが給電可能な状態であるとの情報を取得すると、生体検知手段８ａ，８ｂ，８ｃを起動させることができる。
【００２８】
生体検知手段８ａ，８ｂ，８ｃの起動は、手動でも自動でもよいが、自動であることが好ましい。自動で起動することによって、給電のし忘れが防止でき、必要な時に車両を動かすことができないという電気自動車に関わる使用上の懸念を払拭することができる。
【００２９】
生体検知手段８ａ，８ｂ，８ｃの起動が手動で行われる場合とは、例えば、以下の例が挙げられる。
【００３０】
（車両２内部からの指示）
まず、給電装置１３と受電装置３とが給電可能な状態となった時に、受電側通信機１４と通信可能な車両２内部のパネルに表示が出て乗車中の人に給電可能な状態であることが知らされる。次に、車両２内部において、乗車中の人が、受電側通信機１４と通信可能なパネルのボタンを押して給電を要求する。この動作により、受電側通信機１４から信号が送信され、生体検知手段８ａ，８ｂ，８ｃが起動する。
【００３１】
（車両２外部からの指示）
車両２内部の上記パネルに表示が出て乗車中の人に給電可能な状態であることが知らされる。その後、降車した人が、車両２外部において、スマートフォン等の通信手段を介して給電を要求する。この動作により、受電側通信機１４から信号が送信され、生体検知手段８ａ，８ｂ，８ｃを遠隔操作で起動することができる。
【００３２】
生体検知手段８ａ，８ｂ，８ｃの起動が自動で行われる場合とは、例えば、以下の例が挙げられる。
【００３３】
（給電可能な状態になった時に起動する）
給電装置１３と受電装置３とが給電可能な状態になったことを認証した際の信号が、給電要求の信号に変換されて、生体検知手段８ａ，８ｂ，８ｃの起動信号として受電側通信機１４に送信される。当該信号を受信した受電側通信機１４から信号が送信され、生体検知手段８ａ，８ｂ，８ｃが起動する。
【００３４】
（タイマー機能により設定した時間になったら起動する）
受電側通信機１４又は生体検知手段８ａ，８ｂ，８ｃがタイマー機能を備え、受電側通信機１４は、タイマーに時間が設定された時点で給電要求有と判断する。給電装置１３と受電装置３とが給電可能な状態であれば、設定した時間が経過すると、受電側通信機１４から信号が送信され、生体検知手段８ａ，８ｂ，８ｃが起動する。
【００３５】
（エンジンがストップした時に起動する）
受電側通信機１４が、車両２の電気系統を制御するユニットと通信可能に設定されており、エンジンがストップすると、受電側通信機１４へ給電要求有の信号が送信される。給電装置１３と受電装置３とが給電可能な状態であれば、受電側通信機１４から信号が送信され、生体検知手段８ａ，８ｂ，８ｃが起動する。
【００３６】
（車両２の施錠時に起動する）
受電側通信機１４が、車両２の施錠システムと通信可能に設定されており、降車した人が施錠すると、受電側通信機１４へ給電要求有の信号が送信される。給電装置１３と受電装置３とが給電可能な状態であれば、受電側通信機１４から信号が送信され、生体検知手段８ａ，８ｂ，８ｃが起動する。これにより、施錠に連動して、生体検知手段８ａ，８ｂ，８ｃを起動させることができる。
【００３７】
（スマートエントリシステムと連動して起動する）
受電側通信機１４が、車両２の施錠システムと通信可能に設定されており、車両２が、無線通信により携帯端末から施錠操作が可能な施錠装置を備え、携帯端末が施錠装置の検知範囲を超えた時、施錠とともに受電側通信機１４へ給電要求有の信号が送信される。給電装置１３と受電装置３とが給電可能な状態であれば、受電側通信機１４から信号が送信され、生体検知手段８ａ，８ｂ，８ｃが起動する。これにより、これによりスマートエントリシステムの施錠に連動して、生体検知手段８ａ，８ｂ，８ｃを起動させることができる。
【００３８】
車両２に給電するために、乗車中の人が車両２のエンジンを切って降車し、一定時間経過後に給電装置１３に給電開始の指示をすると、車両２のエンジンを切ってから、給電開始指示までの間、生体検知手段８ａ，８ｂ，８ｃは、断続的又は連続的に、電源の入った状態を保たなければならない。車両２のエンジンを切った後の電力は、主に、車両２に搭載されたバッテリ６によって賄われるため、長時間バッテリ６を使用していると、バッテリ６が上がってしまう問題がある。本実施形態に係るワイヤレス電力伝送用車両２によれば、生体検知開始の指示信号を受信して初めて、生体検知手段８ａ，８ｂ，８ｃが起動するため、上述したような無駄な電力消費を抑制できる。なお、車両内生体検知手段８ａ及び車両外生体検知手段８ｂ，８ｃのいずれか一方において、上記構成を備えていれば、不要な電力消費を抑えることができる。
【００３９】
生体検知手段８ａ，８ｂ，８ｃが起動し、生体検知が行われた後、いずれの生体検知手段によっても生体の存在が確認されなかった場合には、給電制御装置９は、受電側通信機１４に含まれる給電開始指示手段７を介して、給電側通信機１０に給電開始の指示を与える。これにより、給電コイル１２から受電コイル４へ給電が開始される。
【００４０】
給電動作中、さらに不要な電力消費を抑える観点から、車両周囲生体検知手段８ｃが動作している間、車両内生体検知手段８ａが停止することが好ましい。また、給電動作中、車両周囲生体検知手段８ｃが動作している間、車両底部生体検知手段８ｂが停止することが好ましい。さらに、給電動作中、車両周囲生体検知手段８ｃが動作している間、車両内生体検知手段８ａ及び車両底部生体検知手段８ｂが停止することがより好ましい。これにより、車両内部及び、車両底部と地上との間に生体がいない状態を確保しながら、一層、不要な電力消費を抑制できる。
【００４１】
本発明において、「生体検知手段が停止する」とは、「生体検知手段の電源がオンからオフに切り替わること」、及び、「生体検知手段の電源がオンからスタンバイモード（必要最低限の電力を使った状態）になること」の両方を含む。不要な電力消費をより抑制する観点からは、生体検知手段の電源がオフになる（電源が切れる）ことがより好ましい。
【００４２】
車両内生体検知手段８ａ及び車両底部生体検知手段８ｂの停止は、給電制御装置９が、例えば、給電動作が開始すると同時に、又は、一定時間経過後、又は、電力が一定量蓄積後に、車両内生体検知手段８ａ及び／又は車両底部生体検知手段８ｂに停止の指示を与えることにより行われる。停止指示としては、例えば、車両内生体検知手段８ａのみを停止させる指示、車両底部生体検知手段８ｂのみを停止させる指示、或いは、車両内生体検知手段８ａ及び車両底部生体検知手段８ｂの両方を同時又は時間差で停止させる指示が挙げられる。これらの条件は、給電制御装置９に予め設定され、車両２の使用者が適宜選択できる。
【００４３】
次に、図２、３、４、及び５に示すフローチャートを参照し、本実施形態に係る生体検知手段を用いた給電について説明する。図２は、ワイヤレス電力伝送用車両への給電の際に、給電制御装置が実行する処理手順を示すメインフローチャートである。図３は、給電中の生体検知の際に給電制御装置が実施する、第一の生体検知制御を示すフローチャートである。図４は、給電中の生体検知の際に給電制御装置が実施する、第二の生体検知制御を示すフローチャートである。図５は、給電中の生体検知の際に給電制御装置が実施する、第三の生体検知制御を示すフローチャートである。
【００４４】
まず、Ｓ１において、乗車中の人からの給電要求の有無を確認する。給電要求があった場合、Ｓ２において、給電装置１３と受電装置３とが給電可能な状態であるかを確認する。給電可能な状態が確認された場合、Ｓ３において、生体検知手段８ａ，８ｂ，８ｃが起動する。Ｓ４において、起動した生体検知手段８ａ，８ｂ，８ｃが生体を検知すると、Ｓ５において生体検知手段８ａ，８ｂ，８ｃが停止する。この場合、Ｓ１に戻り、引き続き給電要求があると判断された場合には、Ｓ４において、生体が検知されなくなるまで、Ｓ１〜Ｓ４を繰り返す。Ｓ４において、生体が検知されなくなると、Ｓ６において、給電制御装置９に含まれる給電開始指示手段７が、給電側通信機１０を介して給電装置１３へ給電開始を指示する。なお、Ｓ１とＳ２とは、順序が逆になっていてもよく、同時に行われてもよく、Ｓ２とＳ３との間で再度、給電要求の有無が確認されてもよい。
【００４５】
Ｓ７において、給電開始指示手段７から給電指示を受けた給電装置１３は、受電装置３
へ給電を開始する。所望の電力が給電されると、Ｓ１１において給電が終了する。所望の電力が供給され、給電が終了すると、Ｓ１２において、生体検知手段８ａ，８ｂ，８ｃが停止する。
【００４６】
Ｓ３において、生体検知手段として、車両内生体検知手段８ａ、車両底部生体検知手段
８ｂ、及び車両周囲生体検知手段８ｃを用いる場合においては、Ｓ７における給電開始からＳ１１における給電終了までの間、図３、４及び５に示す生体検知制御を行うことができる。
【００４７】
図３に示す第一の生体検知制御は、Ｓ７における給電開始後、Ｓ８において、車両周囲
生体検知手段８ｃが生体検知を行っている間、生体が検知されなければ、Ｓ１０において、車両内生体検知手段８ａが停止する。Ｓ３において、生体検知手段として、車両内生体検知手段８ａ、車両底部生体検知手段８ｂ、及び車両周囲生体検知手段８ｃを用いて車両２の内部及び周囲に生体が存在しないことが確認できているため、車両周囲生体検知手段８ｃによって、車両２の最外周の生体検知が行われていれば、車両内生体検知手段８ａが停止しても生体検知の点では問題がなく、不要な電力消費をより抑制することができる。所望の電力が供給され給電が終了すると、Ｓ１２において、車両周囲生体検知手段８ｃ及び車両底部生体検知手段８ｂが停止する。
【００４８】
車両周囲生体検知手段８ｃによって、車両２の周囲に生体が存在することが確認された場合には、Ｓ９において、給電が停止する。給電が停止すると、電力消費の抑制のために生体検知手段８ａ，８ｂ，８ｃは停止する。そして、この場合も、Ｓ１に戻り、引き続き給電要求があると判断された場合には、Ｓ４において、生体が検知されなくなるまで、Ｓ１〜Ｓ４を繰り返す。
【００４９】
図４に示す第二の生体検知制御は、Ｓ７における給電開始後、Ｓ８において、車両周囲
生体検知手段８ｃが生体検知を行っている間、生体が検知されなければ、Ｓ１０において、車両底部生体検知手段８ｂが停止する。Ｓ３において、生体検知手段として、車両内生体検知手段８ａ、車両底部生体検知手段８ｂ、及び車両周囲生体検知手段８ｃを用いて車両２の内部及び周囲に生体が存在しないことが確認できているため、車両周囲生体検知手段８ｃによって、車両２の最外周の生体検知が行われていれば、車両底部生体検知手段８ｂが停止しても生体検知の点では問題なく、不要な電力消費をより抑制することができる。所望の電力が供給され給電が終了すると、Ｓ１２において、車両周囲生体検知手段８ｃ及び車両内生体検知手段８ａが停止する。
【００５０】
図５に示す第三の生体検知制御は、Ｓ７における給電開始後、Ｓ８において、車両周囲
生体検知手段８ｃが生体検知を行っている間、生体が検知されなければ、Ｓ１０において、車両内生体検知手段８ａ及び車両底部生体検知手段８ｂが停止する。Ｓ３において、生体検知手段として、車両内生体検知手段８ａ、車両底部生体検知手段８ｂ、及び車両周囲生体検知手段８ｃを用いて車両２の内部及び周囲に生体が存在しないことが確認されているため、車両周囲生体検知手段８ｃによって、車両２の最外周の生体検知が行われていれば、車両内生体検知手段８ａ及び車両底部生体検知手段８ｂが停止しても生体検知の点では問題なく、より一層不要な電力消費を抑制することができる。所望の電力が供給され給電が終了すると、Ｓ１２において、車両周囲生体検知手段８ｃが停止する。
【００５１】
本実施形態において、車両内生体検知手段８ａ、車両底部生体検知手段８ｂ、及び車両周囲生体検知手段８ｃとしては、例えば、ＣＣＤイメージセンサを用いたカメラや、超音波センサ、赤外線センサ等のセンサが挙げられる。これらを組み合わせて用いてもよい。
【００５２】
ＣＣＤイメージセンサを用いたカメラによって取得した画像は電気信号に変換され、得られた電気信号を解析することによって画像解析を行い、その結果に基づいて生体の有無を判定することができる。カメラとしては、車両２に搭載されているリアビューカメラ及びフロントビューカメラ（図１に示す８ｃに相当）、サイドビューカメラ（図示せず）等を用いることができる。車両内生体検知手段８ａとしては、車両２に搭載されているドライブレコーダを用いることもできる。生体検知手段８ａ，８ｂ，８ｃとしてカメラを用いることにより、効果的な生体検知が可能となる。
【００５３】
超音波センサ、赤外線センサ等のセンサは、所定の超音波又は光を発信する発信部と、その反射波を受信する受信部とを有する。センサは、所定の超音波又は光を発信し、反射波を受信することにより、生体が存在する前に受信した反射波に対応する電気信号と、生体が存在した時に受信した反射波に対応する電気信号との違いに基づいて、生体の有無を判定することができる。
【００５４】
［第二実施形態］
図６は、第二実施形態に係るワイヤレス電力伝送用車両の平面図である。第一実施形態においては、車両２の内部における生体の存在の有無を検知する車両内生体検知手段８ａを車両２内部の上部に一つ設けているが、本実施形態においては、車両内生体検知手段１６ａを、車両２内部の座席６１ａ，６１ｂごとに適用する。車両内生体検知手段１６ａとしては、超音波センサ、赤外線センサ、圧電センサ等のセンサを好適に用いることができる。車両２内部の座席６１ａ，６１ｂごとにセンサが用いられているため、精度が高い生体検知が可能となる。
【００５５】
さらに、車両２の周囲に存在する生体の有無を検知する車両周囲生体検知手段１６ｃを、図６に示すように、車両２の四隅に設けることにより、生体検知可能な領域Ｅ１を車両２の外周全体に設けることができる。このように車両周囲生体検知手段１６ｃを配置することにより、第一実施形態において説明した、三つの生体検知制御において、給電動作中、車両内生体検知手段（８ａ）及び／又は車両底部生体検知手段（８ｂ）が停止する場合においても、車両周囲生体検知手段（８ｃ）として、精度が高い、効果的な生体検知が可能となる。
【００５６】
以上、本発明に係るワイヤレス電力伝送用車両によれば、生体検知手段が搭載されている車両において、不要な電力消費を抑制できる。また、本発明は、上記第一及び第二実施形態に限定されることはなく、上記効果を奏する範囲内において、その他の形態もとることができる。
【符号の説明】
【００５７】
１…ワイヤレス電力伝送システム、２…ワイヤレス電力伝送用車両、３…受電装置、４…受電コイル、５…受電側制御回路、６…バッテリ、７…給電開始指示手段、８ａ，１６ａ…車両内生体検知手段、８ｂ…車両底部生体検知手段、８ｃ，１６ｃ…車両周囲生体検知手段、９…給電制御装置、１０…給電側通信機、１１…給電側制御回路、１２…給電コイル、１３…給電装置、１４…受電側通信機、６１ａ，６１ｂ…座席、Ｅ１…生体検知可能な領域。
【図１】
0006314746.tif 000002
【図２】
0006314746.tif 000003
【図３】
0006314746.tif 000004
【図４】
0006314746.tif 000005
【図５】
0006314746.tif 000006
【図６】
0006314746.tif 000007